(57)【要約】   【課題】簡単な操作で選曲することができる選曲装置および音楽再生装置を提供する。  【解決手段】画像が受信された場合には（Ｓ３０：Ｙｅｓ）、その画像から文字列認識を行い（Ｓ３２）、認識した文字列を表示器４０に表示する（Ｓ３４）。この表示した文字列に対して修正の指示を通信部２８を介して受信した場合には、文字列を修正し（Ｓ３６）、修正した文字列を再表示する（Ｓ３８）。この表示された文字列に基づいて楽曲の検索を行う指示を通信部２８を介して受信した場合には、ハードディスク３０に記憶している楽曲データベースから検索し、その文字列により検索された楽曲の曲名、歌手名、作曲者などを表示する（Ｓ４０）。    【選択図】    図３
2005300787.tif 000002
【特許請求の範囲】
【請求項１】
画像を入力する画像入力手段と、
その画像入力手段が入力した画像から文字列を認識する文字認識手段と、
複数の楽曲に関する楽曲情報を記憶する記憶手段と、
前記文字認識手段により認識された文字列に基づいて前記記憶手段に記憶された楽曲の中から楽曲を検索する検索手段と、
その検索手段により検索された楽曲に関する楽曲情報を表示する表示手段とを備えていることを特徴とする選曲装置。
【請求項２】
前記表示手段に表示された楽曲情報を修正する修正手段をさらに備えていることを特徴とする請求項１記載の選曲装置。
【請求項３】
前記表示手段は、前記検索手段により検索された複数の楽曲に関する楽曲情報を表示するものであり、
前記表示手段に表示された複数の楽曲の中から所望の楽曲を選択する選択手段をさらに備えていることを特徴とする請求項１または２記載の選曲装置。
【請求項４】
画像を取り込む撮像手段と、
その撮像手段が取り込んだ画像から文字列を認識する文字認識手段と、  
その文字認識手段により認識された文字列をサーバに送信する送信手段と、
サーバによりその文字列に基づいて検索された楽曲に関する楽曲情報を受信する楽曲情報受信手段と、
その受信手段が受信した楽曲情報を表示する表示手段と、
その表示手段に表示された楽曲に関する音楽データを受信する音楽データ受信手段と、
その音楽データ受信手段が受信した音楽データを再生する再生手段とを備えていることを特徴とする音楽再生装置。
【請求項５】
カラー画像を取り込む撮像手段と、
その撮像手段が取り込んだカラー画像をモノクロ画像に変換する二値化手段と、
その二値化手段により変換されたモノクロ画像をサーバに送信する送信手段と、
サーバによりそのモノクロ画像に基づいて文字認識された文字列とその文字列に基づいて検索された楽曲に関する楽曲情報を受信する楽曲情報受信手段と、
その楽曲情報受信手段が受信した楽曲情報を表示する表示手段と、
その表示手段に表示された楽曲に関する音楽データを受信する音楽データ受信手段と、
その音楽データ受信手段が受信した音楽データを再生する再生手段とを備えていることを特徴とする音楽再生装置。
【請求項６】
前記表示手段に表示された楽曲情報を修正する修正手段をさらに備えていることを特徴とする請求項４または５記載の音楽再生装置。
【請求項７】
前記表示手段は、前記検索手段により検索された複数の楽曲に関する楽曲情報を表示するものであり、
前記表示手段に表示された複数の楽曲の中から所望の楽曲を選択する選択手段をさらに備えていることを特徴とする請求項４から６のいずれかに記載の音楽再生装置。
【発明の詳細な説明】
【技術分野】
【０００１】
本発明は、多数の楽曲の中から所望の楽曲を容易に選曲することができる選曲装置および音楽再生装置に関する。
【背景技術】
【０００２】
従来、カラオケ装置などの音楽再生装置では、多数の楽曲が記憶され、その中からいずれかの曲を選曲してその楽曲を演奏して楽しむことが行われている。また、携帯電話機やパーソナルコンピュータでは、インターネットなどのネットワークを介してサーバにアクセスし、所望の楽曲や着メロ等の音楽データを入手することが行われている。
【０００３】
特開平９−２１８６８８号公報（特許文献１）には、カラオケ曲の目次本に曲名に対応して曲番号と曲番号入力用バーコードと３つの効果トラック選択用バーコードを印刷し、バーコードリーダーで所望の曲の曲番号入力用バーコードと効果トラック選択用バーコードを読み込むことにより、選曲と音場制御効果の設定とを行うことができるカラオケ装置が開示されている。
【特許文献１】特開平９−２１８６８８号公報
【発明の開示】
【発明が解決しようとする課題】
【０００４】
しかしながら、上記特許文献１に開示された発明では、曲目や歌手名から選曲する場合に、まず、目次から該当するページを探し、そのページの中から該当する曲目を探し出してその曲目に対応するバーコードにバーコードリーダーをかざすという手順が必要があり、時間と手間がかかるとともに曲名に対応してバーコードが付されていなければ選曲できないという問題点があった。
【０００５】
本発明は、上記問題点を解決するためになされたものであり、簡単な操作で選曲することができる選曲装置および音楽再生装置を提供することを目的とする。
【課題を解決するための手段】
【０００６】
この目的を達成するために、請求項１記載の選曲装置は、画像を入力する画像入力手段と、その画像入力手段が入力した画像から文字列を認識する文字認識手段と、複数の楽曲に関する楽曲情報を記憶する記憶手段と、前記文字認識手段により認識された文字列に基づいて前記記憶手段に記憶された楽曲の中から楽曲を検索する検索手段と、その検索手段により検索された楽曲に関する楽曲情報を表示する表示手段とを備えている。
【０００７】
請求項２記載の選曲装置は、請求項１記載の選曲装置において、前記表示手段に表示された楽曲情報を修正する修正手段をさらに備えている。
【０００８】
請求項３記載の選曲装置は、請求項１または２記載の選曲装置において、前記表示手段は、前記検索手段により検索された複数の楽曲に関する楽曲情報を表示するものであり、前記表示手段に表示された複数の楽曲の中から所望の楽曲を選択する選択手段をさらに備えている。
【０００９】
請求項４記載の音楽再生装置は、画像を取り込む撮像手段と、その撮像手段が取り込んだ画像から文字列を認識する文字認識手段と、その文字認識手段により認識された文字列をサーバに送信する送信手段と、サーバによりその送信した文字列に基づいて検索された楽曲に関する楽曲情報を受信する楽曲情報受信手段と、その受信手段が受信した楽曲情報を表示する表示手段と、その表示手段に表示された楽曲に関する音楽データを受信する音楽データ受信手段と、その受信手段が受信した音楽データを再生する再生手段とを備えている。
【００１０】
請求項５記載の音楽再生装置は、カラー画像を取り込む撮像手段と、その撮像手段が取り込んだカラー画像をモノクロ画像に変換する二値化手段と、その二値化手段により変換されたモノクロ画像をサーバに送信する送信手段と、サーバによりその送信したモノクロ画像に基づいて文字認識された文字列とその文字列に関する音楽データを受信する受信手段と、その受信手段が受信した文字列を表示する表示手段と、受信した音楽データを再生する再生手段とを備えている。
【００１１】
請求項６記載の音楽再生装置は、請求項４または５記載の音楽再生装置において、前記表示手段に表示された楽曲情報を修正する修正手段をさらに備えている。
【００１２】
請求項７記載の音楽再生装置は、請求項４から６のいずれかに記載の音楽再生装置において、前記表示手段は、前記検索手段により検索された複数の楽曲に関する楽曲情報を表示するものであり、前記表示手段に表示された複数の楽曲の中から所望の楽曲を選択する選択手段をさらに備えている。
【００１３】
なお、音楽データとは、音楽を再生することができるデータであって、音楽を所定のサンプリング周波数でサンプリングし、量子化したＰＣＭなどの符号化したデータや、楽器の自動演奏データのように、音源に供給することにより音楽を演奏することができるデータも含むものである。
【発明の効果】
【００１４】
請求項１記載の選曲装置によれば、画像を入力する画像入力手段と、その画像入力手段が入力した画像から文字列を認識する文字認識手段と、複数の楽曲に関する情報を記憶する記憶手段と、前記文字認識手段により認識された文字列に基づいて記憶手段に記憶された楽曲の中から楽曲を検索する検索手段と、その検索手段により検索された楽曲に関する楽曲情報を表示する表示手段とを備えているので、曲番号や曲名や歌手名を数字や文字で逐次入力する必要がなく、画像を入力するという簡単な操作で選曲できるという効果がある。また、曲名にバーコードなどの識別するマークが付されていない場合でも選曲することができる。
【００１５】
請求項２記載の選曲装置によれば、請求項１記載の選曲装置の奏する効果に加え、表示手段に表示された楽曲情報を修正する修正手段をさらに備えているので、文字認識や検索に誤り等があっても修正することができるという効果がある。
【００１６】
請求項３記載の選曲装置によれば、請求項１または２記載の選曲装置の奏する効果に加え、検索手段により検索された複数の楽曲の中から所望の楽曲を選択する選択手段をさらに備えているので、画像により入力した文字列をキーワードとして複数の楽曲が検索された中から所望の楽曲を選択できるという効果がある。
【００１７】
請求項４記載の音楽再生装置によれば、画像を取り込む撮像手段と、その撮像手段が取り込んだ画像から文字列を認識する文字認識手段と、その文字認識手段により認識された文字列をサーバに送信する送信手段と、サーバによりその送信した文字列に基づいて検索された楽曲に関する楽曲情報を受信する楽曲情報受信手段と、その受信手段が受信した楽曲情報を表示する表示手段と、その表示手段に表示された楽曲に関する音楽データを受信する音楽データ受信手段と、その受信手段が受信した音楽データを再生する再生手段とを備えているので、画像を撮影して、その画像を送信することにより所望の楽曲の音楽データを取得し再生することができるという効果がある。
【００１８】
請求項５記載の音楽再生装置によれば、カラー画像を取り込む撮像手段と、その撮像手段が取り込んだカラー画像をモノクロ画像に変換する二値化手段と、その二値化手段により変換されたモノクロ画像をサーバに送信する送信手段と、サーバによりその送信したモノクロ画像に基づいて文字認識された文字列とその文字列に関する音楽データを受信する受信手段と、その受信手段が受信した文字列を表示する表示手段と、受信した音楽データを再生する再生手段とを備えているので、文字認識を行うために送信するデータ量が少なくて済むという効果がある。
【００１９】
請求項６記載の音楽再生装置は、請求項４または５記載の音楽再生装置において、前記表示手段に表示された楽曲情報を修正する修正手段をさらに備えているので、文字認識や検索に誤り等があっても修正することができるという効果がある。
【００２０】
請求項７記載の音楽再生装置は、請求項４から６のいずれかに記載の音楽再生装置において、前記表示手段は、前記検索手段により検索された複数の楽曲に関する楽曲情報を表示するものであり、前記表示手段に表示された複数の楽曲の中から所望の楽曲を選択する選択手段をさらに備えているので、画像により入力した文字列をキーワードとして複数の楽曲が検索された中から所望の楽曲を選択できるという効果がある。
【発明を実施するための最良の形態】
【００２１】
以下、本発明の好ましい第１の実施例について、添付図面を参照して説明する。第１の実施例では、携帯電話機１０により文字列が含まれる画像を撮影し、その画像をカラオケ装置に送信すると、カラオケ装置がその画像から文字認識を行いカラオケ曲を選択することができるものである。
【００２２】
図１は、本発明の実施の形態の一例による選曲装置を含む携帯電話機１０とカラオケ装置２０のブロック図である。携帯電話機１０は、無線で電話局を介して通話を行える通信端末であって、無線通信部の他にカメラ部１２と表示部１４と操作子部１６と赤外線リモコン部１８とを備えている。カメラ部１２は、いわゆるデジタルカメラであって、光学レンズを介して入力した画像をＣＣＤ等によりデジタルカラー画像データに変換する。このカメラ部１２により撮像された画像データは、フラッシュメモリなどに記憶され、表示部１４に表示することができる。
【００２３】
操作子部１６は、カメラのシャッターなどの各種操作の機能や通常の電話としてのダイヤル機能やメール等の文字列を入力することができる文字列入力機能が備えられている。
【００２４】
赤外線リモコン部１８は、赤外線により画像データを送信できる他、リモコンとして操作子１６が操作されると制御信号が赤外線により発信される。なお、携帯電話機１０は、つぎに説明するカラオケ装置と同様に、図示しないＣＰＵにより制御され、メモリに記憶した着メロなどの音楽データを再生する楽音発生回路なども備えている。
【００２５】
次に、カラオケ装置２０の各構成について説明する。ＣＰＵ２２は、中央演算処理装置であり、ＲＯＭ２４に記憶された制御プログラムに従って各種処理を行う。ＲＯＭ２４には、各種制御プログラムやそのプログラムで参照される各種データが記憶されている。
【００２６】
ＲＡＭ２６は、ＣＰＵ２２がプログラムを実行する際、一時データを記憶するエリアとして利用されたり、ハードディスクに記憶されているプログラムを実行する場合には、このＲＡＭ２６に転送して実行される。
【００２７】
通信部２８は、携帯電話機１０と電波あるいは赤外線で通信を行うもので、携帯電話機１０が撮影した画像データを受信したり携帯電話機１０が赤外線リモコンとして機能する場合には、携帯電話機１０からの指示を受信する。また、必要に応じて携帯電話機１０へ情報を送信する。
【００２８】
ハードディスク３０は、大容量の記憶装置であって、多量の楽曲の伴奏データや歌詞データや画像データを選曲番号に対応して記憶している。これらのデータは、予め記憶されているとともに、ユーザにより新たな要求があった際には、通信部２８を介して受信し、追加記録することができる。
【００２９】
また、曲名、歌手名、作曲者名、作詞者名、発売日、発売社名、選曲番号などの楽曲情報が記憶された楽曲データベースも記憶され、この楽曲データベースを検索することにより所望の曲を選曲することができる。
【００３０】
操作子３２は、カラオケ装置本体に備えられた操作子で、音量やエコーの深さなどの効果の設定を行うことができる。
【００３１】
音源３４は、ＣＰＵ２２が読み出した演奏データにしたがってカラオケ曲の伴奏音を発生するものであり、音源３４により発生された楽音信号は、アンプ３６により増幅され、スピーカ３８から放音される。
【００３２】
表示器４０は、カラオケ曲の歌詞が背景映像とともに表示されたり、選曲を行う場合に複数の候補曲が表示されたりするもので、ＬＣＤやＣＲＴにより構成されるものである。
【００３３】
図２は、携帯電話機１０のＣＰＵが行う処理のフローチャートである。この処理は携帯電話機１０の電源が投入されることにより起動され、電源が切断されるまで繰り返し実行される。まず、操作子１６の操作状態をスキャンし、カメラのシャッターが押されたか否かを判断する（Ｓ１０）。シャッターが押された場合には、被写体の画像を取込む（Ｓ１２）。
【００３４】
図４に、被写体の画像を取り込む際の表示器１４の表示態様を示す。携帯電話機１０において、文字列を入力するモードに設定すると、（ａ）に示すように、表示器１４に取り込み用枠が表示される。ユーザは、この枠内に文字列が位置するように携帯電話機１０と被写体とを配置しシャッターを押すことにより、文字列を含む画像が撮影される。
【００３５】
（ｂ）は、カラオケ曲の目次本などに示された曲名とその曲名に対応して付された選曲番号から選曲番号を取り込む例を示すものである。また、同様に（ｃ）は、歌手名を、（ｄ）は、曲の題名を、（ｅ）は、手書き文字列を取り込む様子をそれぞれ示したものである。歌手名や曲の題名は、一般雑誌などに記載されている文字列を撮影して入力することができる。また、印刷物が手元にない場合には、メモなどに手書きし、それを撮影することにより文字列を入力することができる。
【００３６】
携帯電話機１０は、シャッターが押されたことにより、撮影された画像を、フラッシュメモリ等に記憶し、表示器１４に表示する（Ｓ１４）。
【００３７】
ユーザは、この表示を確認して、その画像でよいと判断するとその画像をカラオケ装置２０へ送信するように操作子１６を操作する。携帯電話機１０では、この場合には、Ｓ１０の判断処理がＮｏとなりＳ１５の処理において、取り込まれたカラー画像を、二値化してモノクロ画像データに変換する。この二値化処理は、周知の処理であって、画像データの各画素の濃度が所定の閾値を越えるか否かにより黒と白の二値により画像形成する処理で、文字認識を行う前処理として適しているとともに、送信する画像データの量を減少させることができる。
【００３８】
携帯電話機１０は、次にこの二値化した画像データをカラオケ装置２０へ転送する（Ｓ１６）。この時、ユーザは、送信した画像データが、選曲番号、歌手名、曲の題名のいずれであるかを携帯電話機１０で入力し、携帯電話機１０は、赤外線リモコンによりカラオケ装置にその情報を送信する。
【００３９】
ユーザは、その表示された文字列を確認し、必要があれば修正指示の操作を携帯電話機１０の操作子１６を操作して修正指示する。携帯電話機１０は、この操作により文字列を修正する指示を赤外線リモコンにより送信し（Ｓ１８）、カラオケ装置は、修正された文字列を表示する。
【００４０】
ユーザは、その表示を確認し、修正の必要がなければその文字列に基づいて楽曲データベースから検索を行うように携帯電話機１０の操作子１６を操作する。携帯電話機１０は、この操作により検索を開始するよう指示をカラオケ装置２０に送信する（Ｓ２０）。
【００４１】
カラオケ装置は、その指示を受信すると検索を行い、検索された楽曲名などを表示する。ユーザは、その表示を確認し、必要があれば修正指示を行う。また、複数の楽曲が表示された場合には、そのうちのいずれかを選曲する操作を携帯電話機１０において行い、携帯電話機１０は、操作に応じた選曲の操作指示をカラオケ装置に送信する（図示なし）。  ユーザは、表示された曲名を歌唱する場合には、演奏をスタートさせる操作を行う。この操作に従って、携帯電話機１０は、演奏を開始する制御信号をカラオケ装置２０に送信する（Ｓ２２）。
【００４２】
図３は、上記携帯電話機１０からの指示に応じて動作するカラオケ装置２０のＣＰＵ２２が行う処理のフローチャートである。この処理は、携帯電話機１０の場合と同様に、電源が投入されることにより起動され、電源が切断されるまで繰り返し実行される。
【００４３】
まず、画像を受信したか否かが判断される（Ｓ３０）。画像を受信した場合には（Ｓ３０：Ｙｅｓ）、その画像から文字認識を行い（Ｓ３２）、認識した文字列を表示器４０に表示する（Ｓ３４）。この表示した文字列に対して修正の指示を通信部２８を介して受信した場合には、文字列を修正し（Ｓ３６）、修正した文字列を再表示する（Ｓ３８）。
【００４４】
この表示された文字列に基づいて楽曲の検索を行う指示を通信部２８を介して受信した場合には、ハードディスク３０に記憶している楽曲データベースから検索を行う。検索にあたっては、文字列が選曲番号、曲名、歌手名のいずれであるかの情報を携帯電話機１０から受信し、その情報に基づいて検索を行う。その文字列により検索された楽曲の曲名、歌手名、作曲者などを表示する（Ｓ４０）。表示された楽曲情報に対して修正指示が行われた場合は、修正し、複数の楽曲が検索された場合には、そのうちのいずれかが選択され、次に演奏開始指示の制御信号を受信した場合は、選曲された楽曲の選曲番号に基づいて楽曲の演奏および歌詞等の表示を開始する（Ｓ４２）。
【００４５】
次に図５を参照して第２の実施例について説明する。この第２の実施例では、携帯電話機１０により撮影した画像をサーバ（図示なし）に送信し、サーバは、その画像から文字列を文字認識処理により抽出し、その文字列に基づいてサーバが保有する多数の着メロ等の楽曲情報を検索し、検索された楽曲名等の楽曲情報を携帯電話１０に送信する。ユーザは、サーバから送信された楽曲情報から選曲を行って楽曲を要求し、サーバはその要求に応じてその楽曲に対応する音楽データを配信するものである。
【００４６】
図５は、第２の実施例における携帯電話機１０のＣＰＵの処理をフローチャートとして示すもので、図２に示すフローチャートと同じ処理については、同じステップ番号を付している。まず、操作子１６の操作状態をスキャンし、カメラのシャッターが押されたか否かを判断する（Ｓ１０）。シャッターが押された場合には、画像を取込み（Ｓ１２）フラッシュメモリ等に記憶して、その画像を表示器１４に表示する（Ｓ１４）。ユーザは、この表示を確認して、その表示された画像に基づいて楽曲の検索を実行する場合には、操作子１６を操作して送信を指示する。
【００４７】
送信が指示されると、携帯電話機１０は、カラー画像を二値化してモノクロ画像に変換し（Ｓ１５）、その変換された画像を、アンテナを介して無線によりサーバに送信する（Ｓ１６）。携帯電話機１０においてカラー画像を二値化するのは、文字認識には、処理が比較的簡単であり、カラー画像に比べデータ量を削減できるという利点がある。
【００４８】
サーバは、この二値化された画像から文字列を認識し、その文字列を携帯電話機１０へ送信する。携帯電話機１０は、この文字列を表示器１４に表示する（Ｓ４２、Ｓ４４）。ユーザは、この表示器１４に表示された文字列を確認し、必要があれば修正を行う。携帯電話機１０は、この修正の操作に従って文字列を修正し（Ｓ３６）、修正した文字列を再表示する（Ｓ３８）。
【００４９】
ユーザは、この表示された文字列により楽曲データベースから検索を行う場合は、検索を指示する操作を行う。この操作に従って、携帯電話機１０は、サーバに対して検索を行う文字列を送信し、検索指示を行う（Ｓ４０）。サーバは、この検索指示に応じて検索を行い、検索された楽曲情報を携帯電話機１０に送信する。携帯電話機１０は、この楽曲情報を受信し、表示器１４に表示する（Ｓ４２、Ｓ４４）。ユーザは、この表示を確認し、
必要があれば、修正を行う。表示されている曲名等の音楽データをダウロードする場合には、ダウンロードを指示する操作を行う。携帯電話機１０は、サーバに対してその音楽データを送信するように指示を送り（Ｓ５０）その楽曲の音楽データをサーバから受信してメモリに記憶する。
【００５０】
以上のようにして、音楽再生装置においては、所望の楽曲名などの文字列をカメラ部で撮影し、その画像から文字列を認識して所望の曲を検索し、その楽曲の音楽データを取得することができる。この音楽データは、ＰＣＭなどの符号化データであってもよいし、ＭＩＤＩのような演奏データなどにより構成される自動演奏データでもよい。
【００５１】
なお、上記第２の実施例では、撮影した画像を二値化してサーバに送信し、サーバがその画像から文字列を認識するようにしたが、携帯電話機１０において、撮影した画像から文字列を認識し、その認識した文字列をサーバに送り、サーバは受信した文字列に基づいて検索を行うようにしてもよい。
【００５２】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００５３】
例えば、上記第１の実施例では、携帯電話機１０にカメラ部が備えられ、携帯電話機１０が撮影した映像をカラオケ装置へ送信するように構成したが、携帯電話機に代えて電話機能を有さないリモコン装置としてもよい。
【００５４】
また、上記第１の実施例では、文字認識した文字列や文字列に基づいて検索された楽曲情報をカラオケ装置の表示器４０に表示するようにしたが、これらの情報をカラオケ装置から携帯電話機へ送信し、携帯電話機の表示器に表示するようにしてもよい。
【００５５】
また、上記第１の実施例では、携帯電話機において撮影した画像を二値化してその二値化した画像をカラオケ装置へ送信し、カラオケ装置においてその画像から文字列を認識するようにしたが、携帯電話機において二値化した画像から文字列を認識し、その認識した文字列をカラオケ装置へ送信するようにしてもよい。
【００５６】
また、第２の実施例では、携帯電話機を音楽再生装置の一例としたが、これに代えてパーソナルコンピュータであってインターネットを介して音楽データを供給するサイトのサーバから音楽データをダウンロードするものや、放送ストリーミング局に楽曲をリクエストし、放送される楽曲を再生するものでもよい。
【図面の簡単な説明】
【００５７】
【図１】携帯電話機とカラオケ装置のブロック図である。
【図２】携帯電話機における処理を示すフローチャートである。
【図３】カラオケ装置における処理を示すフローチャートである。
【図４】携帯電話機において文字列を取り込む際の表示器の表示例を示す図である。
【図５】第２の実施例である携帯電話機における処理を示すフローチャートである。
【符号の説明】
【００５８】
１０                携帯電話機（音楽再生装置）
１２                カメラ部
１４                表示器（表示手段）
２０                カラオケ装置
２２                ＣＰＵ
２８                通信部（画像入力手段、受信手段）
３４                音源
４０                表示器（表示手段）
【図１】
2005300787.tif 000003
【図２】
2005300787.tif 000004
【図３】
2005300787.tif 000005
【図４】
2005300787.tif 000006
【図５】
2005300787.tif 000007